(57)【要約】【課題】農道照明や主に歩行者通行の街路や歩道等の生活道路に使用されるＬＥＤ照明器具において、照明器具本体のＬＥＤ光源からの熱を放熱すると共に複数のＬＥＤ光源を備えた発光部の照射方向を容易に調整可能とし、設置後においても追加の部品等を用いないで、光源の発光効率を低下させることなく設置する場所に応じて適切な照射方向を確保し、光を有効に利用することができる照射方向可変形ＬＥＤ照明器具を提供する。【解決手段】ポールや電柱等への取付部と電源ブロック等を収納する本体と、本体の下面開放部を閉塞しＬＥＤ発光部からの光を透光する透光カバーと、ＬＥＤ発光部を構成する複数のＬＥＤ光源を実装したＬＥＤ基板と、照射方向可変機構を備え、照射方向可変機構は、本体に取り付けた可変機構取付部ベース金具の中間部に照明器具の光軸に平行な方向（Ｙ軸方向）に回動可能なＹ軸方向可変金具と、この金具に照明器具の光軸に直角な方向（Ｘ軸方向）に回動可能なるＸ軸方向可変金具を設け、ＬＥＤ基板をＸ軸方向可変金具に取り付けたこと。【選択図】図６
2015002152.tif 000002
【特許請求の範囲】
【請求項１】
下面開放部を有しポールや電柱などに共架して金属バンド等で取付けるための取付部と電源ブロック等を収納する本体と、本体の下面開放部を閉塞しＬＥＤ発光部からの光を効率的に透光する透光カバーと、ＬＥＤ発光部を構成する複数のＬＥＤ光源を実装したＬＥＤ基板と、照射方向可変機構を備え、
照射方向可変機構は、前記本体に取り付けられた可変機構取付部ベース金具６と、可変機構取付部ベース金具６の中間部に照明器具の光軸に平行な方向であるＹ軸方向が回動可能なるように支持されたＹ軸方向可変金具４と、Ｙ軸方向可変金具４に照明器具の光軸に直角な方向であるＸ軸方向が回動可能なるように支持されたＸ軸方向可変金具３と、可変機構取付部ベース金具６に対してＹ軸方向可変金具４を回動範囲の所定位置に保持固定するＹ軸方向固定装置ＹＰと、Ｙ軸方向可変金具４にＸ軸方向可変金具３を回動範囲の所定位置に保持固定するＸ軸方向固定装置ＸＰを備え、
Ｘ軸方向可変金具３にＬＥＤ実装基板が取り付けられ、Ｙ軸方向固定装置ＹＰの固定解除状態においてＹ軸方向可変金具４の回動にてＬＥＤ発光部からのＹ軸方向への光照射方向が変更され、Ｘ軸方向固定装置ＸＰの固定解除状態においてＸ軸方向可変金具３の回動にてＬＥＤ発光部からのＸ軸方向への光照射方向が変更されることを特徴とする照射方向可変形ＬＥＤ照明器具。
【請求項２】
下面開放部を有しポールや電柱などに共架して金属バンド等で取付けるための取付部と電源ブロック等を収納する本体と、本体の下面開放部を閉塞しＬＥＤ発光部からの光を効率的に透光する透光カバーと、複数のＬＥＤ光源を実装したＬＥＤ基板と、照射方向可変機構を備え、
照射方向可変機構は、ＬＥＤ基板を固定する取付部３１と放熱部３４と照明器具の光軸に直角な方向であるＸ軸方向回転支持部３２を有する複数のＬＥＤ基板取付金具３と、複数のＬＥＤ基板取付金具３をそれぞれ独自にＸ軸方向に回動可能に支持して照射角度を可変した設定角度位置に保持固定するＸ軸方向回転支持部４３と当該金具３を照明器具の光軸に平行な方向であるＹ軸方向に回動できるように支持する回転中心部４１とＹ軸方向の可変角度を固定させるための突出し片のＹ軸方向固定部４２とを有するＹ軸方向可変金具４と、Ｙ軸方向可変金具４を回動自在に支持する回転軸と当該金具４を本体１１へ取り付けるための取付部６１を有する可変機構取付けベース金具６、及びＹ軸方向可変金具４を角度設定した後その角度を固定ねじを使用して保持固定するためのＹ軸方向固定金具７により構成したことを特徴とする照射方向可変形ＬＥＤ照明器具。
【請求項３】
請求項２において、各ＬＥＤ光源が臨む光透過部とＹ軸方向の光の照射方向を制御するよう光透過部間に位置した複数の遮光ルーバーを備えＬＥＤ発光部の表側においてＬＥＤ基板取付金具３に取付けられた遮光ルーバーユニット８を備え、Ｙ軸方向の光の照射方向を制御して、照射方向とは反対方向への遮光を行なうことを特徴とする照射方向可変形ＬＥＤ照明器具。
【請求項４】
請求項２において、可変機構取付けベース金具６、Ｙ軸方向固定金具７及びＹ軸方向可変金具４によるＹ軸方向の角度可変機構ＹＫに替わって、本体１１に取付けるための取付部９１とＸ軸方向の角度を可変できるＸ軸方向角度可変機構ＸＫを備えたＸ軸方向可変金具９を備え、Ｘ軸方向可変金具９には、複数のＬＥＤ基板取付金具３をそれぞれ独自にＸ軸方向に回動可能に支持して照射角度を可変した設定角度位置に保持固定するＸ軸方向回転支持部４３を備え、Ｙ軸方向の光を制御する遮光ルーバーユニット８をＬＥＤ発光部の表側に取付けたＬＥＤ基板取付金具３をＸ軸方向可変金具９に取付けて、Ｘ軸方向角度可変機構ＸＫと遮光ルーバーユニット８によって、Ｘ軸方向及びＹ軸方向の照射角度を可変できるように構成したことを特徴とする照射方向可変形ＬＥＤ照明器具。
【発明の詳細な説明】
【技術分野】
【０００１】
本発明は、農作物を栽培する地域などの道路照明や主に歩行者が使用する街路や歩道などの生活道路に使用されるＬＥＤ照明器具に関するものである。
【背景技術】
【０００２】
屋外のポールや電柱に取付けて街路や道路を照明する照明器具として、断面山形の載置板のそれぞれの表面に、複数個のＬＥＤ光源体を配置したプリント回路基板が取り付けられたものがあるが、これは照射方向が固定である（特許文献１参照）。
【０００３】
一方、ＬＥＤ照明器具において、ＬＥＤが適切な照射方向となるように適宜調整可能にＬＥＤ照明器具を取り付けるものがあり、照射方向の変更範囲が一つの平面に沿った変更可能なＬＥＤ照明器具の取付構造及び取付方法がある（特許文献２参照）。
【先行技術文献】
【特許文献】
【０００４】
【特許文献１】特開２０１２−００９３１５号公報
【特許文献２】特開２０１２−２５２９２８号公報
【発明の概要】
【発明が解決しようとする課題】
【０００５】
特許文献１のものは、断面山形の二つの面の方向への照射が可能であるが、照明器具の設置後は、その照射方向が固定される。一方特許文献２のものは、照射方向の変更範囲が一つの平面に沿った変更であるため、変更範囲が限られたものとなり、ＬＥＤ照明器具の設置状況によっては、照射方向を希望の範囲に設定し難い場合が生じる。
【０００６】
また、農作物を栽培する地域などの道路照明において、照射方向の道路側とは反対方向の農作物などに漏れ光が当り、この漏れ光による稲などの農作物の生育への悪影響（光害）があり、光害の抑制・防止が求められている。また、生活道路における一般道路では道路軸に沿った長手方向に伸びた配光で照明することがより効率的であり、交差点などではそのエリア全体を照明できる全方位形の配光が求められる。このように設置場所により要求される配光が異なる。そこで、稲などの農作物の生育への悪影響（光害）の抑制や設置場所に応じて照射方向が適切に変えられる照射方向可変形照明器具が求められている。また、エネルギーの有効活用を図るため省エネルギーな光源を使用した照明器具が求められている。
【０００７】
また、ＬＥＤ発光部からの発熱を効果的に放熱して発光効率の低下を防止するための適切な放熱処理が必要であり、放熱性を損なうことなく、製造出荷時に所定の遮光ルーバーを取り付けておくことによって、照明器具の設置時や設置後において特別に遮光板などの追加部品を使用することなく、設置場所に応じて適切な方向に光の照射方向を変えることができる照射方向可変形のＬＥＤ照明器具が望まれている。
【０００８】
本発明は、これらの点に鑑み、ＬＥＤ（ＬＩＧＨＴ  ＥＭＩＴＴＩＮＧ  ＤＩＯＤＥ）光源部から発光される光を設置場所や用途に合わせ適切な方向に照射できるようＬＥＤ光源部に照射方向可変機構を備えた照射方向可変形ＬＥＤ照明器具を提供するものである。
【０００９】
また本発明は、屋外のポールや電柱に取付けて街路や道路を照明する街路灯としての照明器具において、照明器具本体のＬＥＤ光源部からの熱を効果的に放熱するとともに、複数のＬＥＤ光源を備えた発光部の照射方向を容易に調整可能とすることにより、設置後においても追加の部品等を用いないで、光源の発光効率を低下させることなく、照明器具を設置する場所に応じて適切な照射方向を確保し、光を有効に利用することができる照射方向可変形ＬＥＤ照明器具を提供するものである。
【００１０】
また本発明は、屋外のポールや電柱に取付けて街路や道路を照明する照明器具として、短冊状や矩形状のように所定長さに延びた平板状の回路基板の下面（道路側面）に複数のＬＥＤ光源部を配置して発光部を構成し、この回路基板を１枚または複数枚備える街路灯を構成し、ＬＥＤ光源部からの熱を効果的に放熱するとともに、発光部の照射方向を容易に調整可能とすることにより、ＬＥＤ光源部の発光効率を低下させることなく、照明器具を設置する場所に応じて適切な照射方向を確保し、光を有効に利用することができる照射方向可変形ＬＥＤ照明器具を提供するものである。
【００１１】
これらに関連して、本発明は、照明器具の光軸に直角な方向（Ｘ軸と呼ぶ）と、この光軸に平行な方向（Ｙ軸と呼ぶ）とに、照明器具の光の照射方向を可変可能にすることにより、照射方向の可変範囲が広く取れるようにし、照明器具を設置する場所に応じて適切な照射方向を確保し、光を有効に利用することができる照射方向可変形ＬＥＤ照明器具を提供するものである。
【００１２】
また本発明は、屋外のポールや電柱に取付けて街路や道路を照明するものとして有効な照明器具とするために、照射する道路側とは反対方向への光をより効率的に遮光することで、より確実な照射方向の制御ができる構成によって、周辺の稲などの農作物の生育への悪影響（光害）の抑制・防止や設置場所に応じた適切な配光が得られるＬＥＤ照明器具とし、設置時や設置後でもＬＥＤ光源からの光りの照射方向を容易に変えられる照射方向可変形照明器具を提供するものである。
【課題を解決するための手段】
【００１３】
第１発明の照射方向可変形ＬＥＤ照明器具は、下面開放部を有しポールや電柱などに共架して金属バンド等で取付けるための取付部と電源ブロック等を収納する本体と、本体の下面開放部を閉塞しＬＥＤ発光部からの光を効率的に透光する透光カバーと、ＬＥＤ発光部２を構成する複数のＬＥＤ光源２１を実装したＬＥＤ基板２２と、照射方向可変機構を備え、
照射方向可変機構は、前記本体に取り付けられた可変機構取付部ベース金具６と、可変機構取付部ベース金具６の中間部に照明器具の光軸に平行な方向であるＹ軸方向が回動可能なるように支持されたＹ軸方向可変金具４と、Ｙ軸方向可変金具４に照明器具の光軸に直角な方向であるＸ軸方向が回動可能なるように支持されたＸ軸方向可変金具３と、可変機構取付部ベース金具６に対してＹ軸方向可変金具４を回動範囲の所定位置に保持固定するＹ軸方向固定装置ＹＰと、Ｙ軸方向可変金具４にＸ軸方向可変金具３を回動範囲の所定位置に保持固定するＸ軸方向固定装置ＸＰを備え、
Ｘ軸方向可変金具３にＬＥＤ実装基板が取り付けられ、Ｙ軸方向固定装置ＹＰの固定解除状態においてＹ軸方向可変金具４の回動にてＬＥＤ発光部からのＹ軸方向への光照射方向が変更され、Ｘ軸方向固定装置ＸＰの固定解除状態においてＸ軸方向可変金具３の回動にてＬＥＤ発光部からのＸ軸方向への光照射方向が変更されることを特徴とする。
【００１４】
第２発明の照射方向可変形ＬＥＤ照明器具は、下面開放部を有しポールや電柱などに共架して金属バンド等で取付けるための取付部と電源ブロック等を収納する本体と、本体の下面開放部を閉塞しＬＥＤ発光部からの光を効率的に透光する透光カバーと、複数のＬＥＤ光源を実装したＬＥＤ基板と、照射方向可変機構を備え、
照射方向可変機構は、ＬＥＤ基板を固定する取付部３１と放熱部３４と照明器具の光軸に直角な方向であるＸ軸方向回転支持部３２を有する複数のＬＥＤ基板取付金具３と、複数のＬＥＤ基板取付金具３をそれぞれ独自にＸ軸方向に回動可能に支持して照射角度を可変した設定角度位置に保持固定するＸ軸方向回転支持部４３と当該金具３を照明器具の光軸に平行な方向であるＹ軸方向に回動できるように支持する回転中心部４１とＹ軸方向の可変角度を固定させるための突出し片のＹ軸方向固定部４２とを有するＹ軸方向可変金具４と、Ｙ軸方向可変金具４を回動自在に支持する回転軸と当該金具４を本体１１へ取り付けるための取付部６１を有する可変機構取付けベース金具６、及びＹ軸方向可変金具４を角度設定した後その角度を固定ねじを使用して保持固定するためのＹ軸方向固定金具７により構成したことを特徴とする。
【００１５】
第３発明の照射方向可変形ＬＥＤ照明器具は、第２発明において、各ＬＥＤ光源が臨む光透過部とＹ軸方向の光の照射方向を制御するよう光透過部間に位置した複数の遮光ルーバーを備えＬＥＤ発光部の表側においてＬＥＤ基板取付金具３に取付けられた遮光ルーバーユニット８を備え、Ｙ軸方向の光の照射方向を制御して、照射方向とは反対方向への遮光を行なうことを特徴とする。
【００１６】
第４発明の照射方向可変形ＬＥＤ照明器具は、第２発明において、可変機構取付けベース金具６、Ｙ軸方向固定金具７及びＹ軸方向可変金具４によるＹ軸方向の角度可変機構ＹＫに替わって、本体１１に取付けるための取付部９１とＸ軸方向の角度を可変できるＸ軸方向角度可変機構ＸＫを備えたＸ軸方向可変金具９を備え、Ｘ軸方向可変金具９には、複数のＬＥＤ基板取付金具３をそれぞれ独自にＸ軸方向に回動可能に支持して照射角度を可変した設定角度位置に保持固定するＸ軸方向回転支持部４３を備え、Ｙ軸方向の光を制御する遮光ルーバーユニット８をＬＥＤ発光部の表側に取付けたＬＥＤ基板取付金具３をＸ軸方向可変金具９に取付けて、Ｘ軸方向角度可変機構ＸＫと遮光ルーバーユニット８によって、Ｘ軸方向及びＹ軸方向の照射角度を可変できるように構成したことを特徴とする。
【００１７】
第５発明の照射方向可変形ＬＥＤ照明器具は、第２発明において、ＬＥＤ発光部及びＬＥＤ基板取付金具は複数個に限定するものではなく、上記の照射方向可変機構の各構成部材をアレンジすることで１ユニットにてＸ軸、Ｙ軸各方向の角度を変えられる構成としたことを特徴とする。
【発明の効果】
【００１８】
第１発明では、照明器具の光軸に直角な方向であるＸ軸方向と、照明器具の光軸に平行な方向であるＹ軸方向にＬＥＤ発光部からの光照射方向が変更可能であるため、一般道路などの道路軸方向の長手２方向配光や交差点などの広範なエリアを照射する略円形の全方向配光など設置される場所や目的に応じて適切な配光を得ることができるとともに、照明器具を設置した近隣の住宅などへの漏れ光によるまぶしさ（光害）などを抑制する効果が得られるとともに光の有効的な活用が可能となる。
また、短冊状や矩形状のように所定長さに延びた平板状の回路基板の下面（道路側面）に複数のＬＥＤ光源部を配置して発光部を構成し、この回路基板を１枚または複数枚備える街路灯を構成した場合、発光部の照射方向を容易に調整可能とすることにより、ＬＥＤ光源部の発光効率を低下させることなく、照明器具を設置する場所に応じて適切な照射方向を確保し、光を有効に利用することができる照射方向可変形ＬＥＤ照明器具を提供できるものとなる。
【００１９】
第２発明では、複数のＬＥＤ基板取付金具がそれぞれ独自にＸ軸方向に回動可能にＹ軸方向可変金具に支持されており、Ｘ軸方向に回動して照射角度を可変しその設定角度位置に保持固定することにより、Ｘ軸方向の照射角度が複数のＬＥＤ基板取付金具のそれぞれに回動によって設定される。一方、Ｙ軸方向可変金具を回動して照射角度を可変しその設定角度位置に保持固定することにより、Ｙ軸方向の照射角度が設定される。このため、この両者により複数のＬＥＤ基板取付金具によってＸ軸方向の照射方向が二種類に設定でき、Ｙ軸方向の照射角度の変更と相俟って所定の範囲を照射できるように設定できるため、照明器具の設置場所に応じた照射範囲の設定をより細かく行なうことが可能となる。
従って、一般道路などの道路軸方向の長手２方向配光や交差点などの広範なエリアを照射する略円形の全方向配光など設置される場所や目的に応じて適切な配光を得ることができるとともに、照明器具を設置した近隣の住宅などへの漏れ光によるまぶしさ（光害）などを抑制する効果が得られるとともに光の有効的な活用が可能となる。
また、ＬＥＤ基板取付金具３にＬＥＤ基板を固定する取付部３１と共に放熱部３４を設けることにより、ＬＥＤ光源の過度の温度上昇を抑制でき発光効率の低下とＬＥＤランプ寿命の低下を防止するための構成が簡単に形成できるものとなる。
【００２０】
第３発明では、第２発明の効果に加えて、ＬＥＤ光源部の上に、更に遮光ルーバーユニットを追加してＬＥＤ基板取付金具に取付けた完成品とすることで、Ｙ軸方向の光の照射方向を制御する複数の遮光ルーバーの取付角度を可変できるため、Ｙ軸方向の光の照射方向を更に一段階の制御ができることとなり、ＬＥＤ発光部により所期の照射方向とは反対方向への遮光が達成できる。このため、遮光ルーバーを可変することで設置環境に合わせた適切な遮光が可能となり、稲などの農作物の生育への悪影響（光害）等の抑制・防止効果を得ることができる。
本発明の照明器具を設置することで、設置場所に合わせて適切な照射方向の制御ができるため、設置後に特別な遮光板などの追加部品を装着する必要がなくなるため、より省施工で経済的な照明器具を提供できる。
【００２１】
第４発明では、第２発明において、Ｙ軸方向の角度可変機構ＹＫを取り除いて、Ｘ軸方向角度可変機構ＸＫを備えたＸ軸方向可変金具９を本体１１に取り付け、Ｘ軸方向可変金具９にはＹ軸方向の光を制御する遮光ルーバーユニット８を取付けた構成によって、Ｘ軸方向角度可変機構ＸＫによってＸ軸方向の照射角度を可変でき、遮光ルーバーユニット８によってＹ軸方向の照射角度を可変できるため、照明器具の設置場所に合わせた適切な照射が得られるように照射方向を可変でき、稲等の農作物の生育への悪影響（光害）等の抑制・防止効果を得ることができる照射方向可変形ＬＥＤ照明器具を提供できる。        
また、本発明の照明器具を設置することで、遮光ルーバーを可変することで設置環境に合わせた適切な遮光が可能となり、稲などの農作物の生育への悪影響（光害）等の抑制・防止効果を得ることができると共に、設置場所に合わせて適切な照射方向の制御ができるため、設置後に特別な遮光板などの追加部品を装着する必要がなくなるため、より省施工で経済的な照明器具を提供できる。
【００２２】
第５発明では、第２発明において、ＬＥＤ発光部及びＬＥＤ基板取付金具は複数個に限定するものではなく、上記の照射方向可変機構の各構成部材をアレンジすることで１ユニットにてＸ軸、Ｙ軸各方向の角度を変えられる構成とすれば、所期の目的及び効果を達成できる照明器具を提供できる。
【００２３】
また、本発明では、ＬＥＤ実装基板をそれぞれ取り付けた二枚の平板状のＸ軸方向可変金具３を備えた照明器具の場合は、二枚のＬＥＤ実装基板相互が山形またはＶ字形の関係となる配置で以って、それぞれのＸ軸方向可変金具３が単独でＹ軸方向可変金具４に回動可能に支持された構成とすれば、照明器具を設置した後、それぞれのＸ軸方向可変金具３によって任意にＸ軸方向の照射方向を変更できる。そして、可変機構取付部ベース金具６に対してＹ軸方向可変金具４を回動させれば、それぞれのＸ軸方向可変金具３を同時に回動して、任意にＹ軸方向の照射方向を変更できることとなり、照明器具を設置した後、望む方向への光照射が得られるようになる。
【図面の簡単な説明】
【００２４】
【図１】本発明による実施形態の一例を示す照射方向可変形ＬＥＤ照明器具の縦断側面図であり、Ｙ軸方向の照射角度可変構成を示す図である。
【図２】本発明による実施形態のＬＥＤ照明器具の下面方向から見た部分断面図である。
【図３】本発明による実施形態のＹ軸方向の照射角度可変状態を示す部分側面図である。
【図４】本発明による実施形態のＸ軸方向の照射角度可変状態を示す部分断面図である。
【図５】本発明による実施形態の照射方向可変による配光パターンの変化を示す平面図である。
【図６】本発明による実施形態の照射方向可変機構の基本構成部品の一例を示す分解図である。
【図７】本発明によるその他の実施形態の照射方向可変機構の基本構成の一例を示す分解図である。
【図８】本発明による実施形態の一例を示す遮光ルーバーユニットを示し、（ａ）はそのＹ軸方向に沿った正面図、（ｂ）はその左側面図である。
【図９】本発明による実施形態の遮光ルーバーユニットのＹ軸方向の角度可変状態を示す側面図であり、（ａ）はＹ軸で発光中心軸よりＣ１度後方に傾けた状態を示し、（ｂ）はＹ軸で発光中心軸よりＣ２度前方に傾けた状態を示す側面図である。
【図１０】本発明による実施形態の遮光ルーバーユニット支持金具の図で、（ａ）は遮光ルーバー支持金具のＹ軸方向における平面図、（ｂ）はその側面図である。
【図１１】本発明による実施形態の遮光ルーバースライド板のＹ軸方向に沿った正面図である。
【図１２】本発明による実施形態の遮光ルーバーユニットの遮光ルーバーの反射面側から見た正面図である。
【図１３】本発明の他の実施形態に係るボールジョイント式照射方向可変機構を備えたＬＥＤ防犯灯の要部を示す縦断側面図であり、ＬＥＤ基板を下方から見た図を付加した分解図で示す。
【図１４】図１３に係るＬＥＤ防犯灯の照射方向可変機構部分の縦断側面図であり、（ａ）は正面方向断面図、（ｂ）は側面方向の断面図である。
【図１５】図１３に係るＬＥＤ防犯灯の照射方向可変状態の部分分解図であり、（ａ）は正面方向の可変状態を示す側面図、（ｂ）は側面方向の可変状態を示す正面図である。
【図１６】図１３に係るＬＥＤ防犯灯の外観図の例であり、（ａ）は側面図、（ｂ）は下面図である。
【図１７】ボールジョイント式照射方向可変機構を備えたＬＥＤ防犯灯の他の実施形態の一例として、ボールジョイント式照射方向可変機構を２個備えた照射方向可変形ＬＥＤ照明器具の図であり、（ａ）は縦断側面図、（ｂ）は下面図、（ｃ）は照射方向可変機構を部分断面で示す正面図である。
【発明を実施するための形態】
【００２５】
本発明の照明器具は、ポールや電柱などに共架されて設置される照明器具において、電源ブロックや光源部などを収納しポールや電柱などに共架するための取付部を備えた本体部と、複数のＬＥＤ素子を基板上に実装した1つまたは複数のＬＥＤ発光部と、照明器具の光軸に直角な方向（Ｘ軸と呼ぶ）と光軸に平行な方向（Ｙ軸と呼ぶ）にＬＥＤ発光部の発光中心軸を可変可能にする照射方向可変機構部を本体内に備え、器具の下側開放部を閉塞するとともに光を透過させる透光カバーとを備えた照射方向可変形照明器具とした。さらに、照射する道路側とは反対方向への光をより効率的に遮光することでより確実な照射方向の制御ができるように遮光ルーバーユニットを付加した構成の照射方向可変形照明器具とした。
【００２６】
以下、本発明の実施形態に係わる街路や歩道用の照射方向可変形ＬＥＤ照明器具について、図面を参照して説明する。
【００２７】
図１は本発明に係わる実施形態の一例を示す照射方向可変形ＬＥＤ照明器具の側面断面図であり、Ｙ軸方向の照射方向可変状態を示している。図２は本発明による実施形態の照明器具において遮光ルーバーユニット８を取付けない構成の照明器具を下面方向から見た部分断面図である。図３は本発明による実施形態のＹ軸方向の照射方向可変状態を示す部分側面図、図４はＸ軸方向の照射方向可変状態を示す部分断面図を示したものである。図５は本発明の実施形態による照射方向を可変したときの照明器具の位置と照射面の配光パターンの可変イメージを示す上方から見た平面図である。図６は本発明の実施例の一例を示す照射方向可変機構の主要構成部品の分解図である。図７は本発明のその他の実施例の一例を示す照射方向可変機構の主要構成部品の分解図である。図８は本発明の実施形態の遮光ルーバーユニットの構成の一例を示すもので、図９はその遮光ルーバーによる照射方向を変えた状態を示す側面図である。図１０は遮光ルーバー支持金具の平面図と側面図であり、図１１は遮光ルーバースライド板の正面図であり、図１２は遮光ルーバーユニットの遮光ルーバーの一例を示す正面図である。
【００２８】
本発明に係る照射方向可変形ＬＥＤ（ＬＩＧＨＴ  ＥＭＩＴＴＩＮＧ  ＤＩＯＤＥ）照明器具１は、複数のＬＥＤ光源２１をＬＥＤ基板２２に所定配列状態に実装した構成によってＬＥＤ発光部２を構成しており、下面開放部を有しポールや電柱などに共架して金属バンド等で取付けるための取付部３１と電源ブロック１４等を収納する本体１１と、本体１１の下面開放部を閉塞しＬＥＤ光源２１からの光を効率的に透光する透光カバー１３と、複数のＬＥＤ光源２１を実装したＬＥＤ基板２２と、照射方向可変機構ＬＫを備え、照射方向可変機構ＬＫは、照明器具１の光軸に直角な方向（Ｘ軸方向という）の光の照射方向を変更するためのＸ軸方向角度可変機構ＸＫと、照明器具１の光軸に平行な方向（Ｙ軸方向という）の光の照射方向を変更するためのＹ軸方向角度可変機構ＹＫを備える。
【００２９】
Ｙ軸方向角度可変機構ＹＫは、本体１１に取り付けられた可変機構取付部ベース金具６と、可変機構取付部ベース金具６の中間部に照明器具１の光軸に平行な方向であるＹ軸方向に回動可能なるように支持されたＹ軸方向可変金具４と、ＬＥＤ光源２１を複数実装したＬＥＤ基板２２を取り付けたＬＥＤ基板取付金具３をＹ軸方向可変金具４に回動可能に取り付けた構成であり、可変機構取付部ベース金具６に対してＹ軸方向可変金具４を回動範囲の所定位置に保持固定するＹ軸方向固定装置ＹＰを備えている。
【００３０】
Ｘ軸方向角度可変機構ＸＫは、ＬＥＤ光源２１を複数実装したＬＥＤ基板２２を取り付けたＬＥＤ基板取付金具３が、Ｙ軸方向可変金具４に対し照明器具１の光軸に直角な方向であるＸ軸方向に回動可能なるように支持された構成であり、Ｙ軸方向可変金具４に対しＸ軸方向可変金具３を回動範囲の所定位置に保持固定するＸ軸方向固定装置ＸＰを備える。
【００３１】
これによって、Ｙ軸方向固定装置ＹＰの固定解除状態においてＹ軸方向可変金具４の回動にてＬＥＤ発光部からのＹ軸方向への光照射方向が変更され、Ｘ軸方向固定装置ＸＰの固定解除状態においてＸ軸方向可変金具３の回動にてＬＥＤ発光部からのＸ軸方向への光照射方向が変更される。
【００３２】
以下、本発明に係る照射方向可変形ＬＥＤ照明器具１の具体的な構成について、図１乃至図１２に基づき記載する。以下に開示する照射方向可変形ＬＥＤ照明器具１は、図２に示すように、２枚のＬＥＤ基板２２が、上方に広く下方に近接するように相互関係が山形またはＶ字形の関係となる配置形態で以って、左右２面のＬＥＤ発光部２を備えた照射方向可変形ＬＥＤ照明器具１を示している。
【００３３】
図１に示す本発明による実施形態のＬＥＤ照明器具１は、ポールや電柱などの支持部材ＰＬに共架して金属バンド等で取付けるための取付部１２を本体１１に一体的に備えＬＥＤを点灯させるための電源ブロック１４などを収納する本体１１と、本体１１の下面開放部を閉塞しＬＥＤ光源２１からの光を効率的に透光する透光カバー１３と、ＬＥＤ光源２１を複数実装してＬＥＤ発光部２を構成するためのＬＥＤ基板２２と、ＬＥＤ基板２２を固定するＬＥＤ基板取付金具３と、ＬＥＤ基板取付金具３の取付角を可変できるように支持固定するＹ軸方向可変金具４と、Ｙ軸方向可変金具４をＹ軸方向で角度可変に支持固定する可変機構取付けベース金具６とＹ軸方向固定金具７からなる照射方向可変機構ＬＫを備えた照明器具である。図１及び図２に示すように、ＬＥＤ照明器具１の全体形態が前方へ長く延びる形態をなすように、取付部１２から前方へ長く延びるように本体１１が形成され、それに応じて透光カバー１３、ＬＥＤ基板取付金具３、Ｙ軸方向可変金具４、及び可変機構取付けベース金具６等が形成されている。
【００３４】
本発明に係るＬＥＤ照明器具１は、街路灯として好適なＬＥＤ照明器具１とするために、それに適用される最も代表的な形態のＬＥＤ基板２２として、照射方向の定め易さ、ＬＥＤ基板２２の作成の容易さと低コスト化、ＬＥＤ照明器具１の本体１１内への配置のし易さ、照射方向の変更のし易さ、等を達成するために、ＬＥＤ光源２１の発光側を配置する面が一様の平坦面をなし、短冊状や矩形状のように所定の幅でもって長手方向に所定長さに延びた平板状のＬＥＤ基板２２を採用している。そして、そのＬＥＤ基板２２の平面に垂直方向に各ＬＥＤ光の光軸（Ｘ軸）が形成され、このＸ軸と直角状態に交差するＬＥＤ基板２２の長手方向（Ｙ軸）に複数のＬＥＤ光源部２１を一列または複数列（図示では２列）に配列し、ＬＥＤ発光部２からのＹ軸方向とＸ軸方向への光照射方向を変更できるＬＥＤ照明器具１を示している。
【００３５】
図６に示すように、ＬＥＤ基板取付金具３は左右一対を備え、各ＬＥＤ基板取付金具３は、ＬＥＤ照明器具１の長手方向にＬＥＤ光源２１を複数実装したＬＥＤ基板２２を固定するＬＥＤ基板取付部３１と、基板取付部３１の上端から上方に向けて照明器具１の内側へ延伸してＬＥＤの熱を放散する放熱部３４と、基板取付部３１の両側面にはＸ軸方向に回転させるとともに支持される回転軸穴３２１と設定角度を固定するための固定ねじ穴３２２とを有する回転支持部３２を設けている。
【００３６】
図示の実施例では、複数のＬＥＤ発光部２（図示は左右２面のＬＥＤ発光部２）は、そこから発する光が平板状のＬＥＤ基板２２の一方の平面にそれぞれ垂直な方向（Ｘ軸方向という）へ照射されるように複数のＬＥＤ光源２１がＬＥＤ基板の長手軸方向（Ｙ軸方向という）に２列配置された構成である。これによって、各ＬＥＤ光源２１から発する光の軸、即ち光軸がＬＥＤ基板２２の面に垂直でＹ軸方向に長く形成される構成であり、このため、左右それぞれのＬＥＤ発光部２の光軸、即ち、左右それぞれのＬＥＤ発光部２において、各ＬＥＤ光源２１の光軸はＸ軸方向であるが、左右それぞれのＬＥＤ発光部２全体から見たＬＥＤ照明器具１の光軸は、Ｙ軸方向に長く延びた光軸を形成した状態となる。
【００３７】
図示の構成では、ＬＥＤ基板取付金具３は左右一対を備え、左右一対のＬＥＤ基板取付金具３に形成したそれぞれのＬＥＤ基板取付け面となる基板取付部３１、３１は、図２に示すように、相互関係が山形またはＶ字形の関係となる配置形態をなしている。このため、左右一対の基板取付部３１、３１に取り付けた平板状のＬＥＤ基板２２によって、左右一対のＬＥＤ発光部２が形成されており、ＬＥＤ発光部２の発光中心軸ＣＨは、左右それぞれのＬＥＤ基板２２においてＬＥＤ基板２２の面に垂直であり、従って、ＬＥＤ照明器具１の光軸が、左側のＬＥＤ発光部２と右側のＬＥＤ発光部２によってそれぞれ形成される。
【００３８】
上記のように、Ｙ軸方向角度可変機構ＹＫは、ＬＥＤ基板取付金具３がＹ軸方向可変金具４に対しＹ軸方向に回動可能に取り付けられ、可変機構取付部ベース金具６に対してＹ軸方向可変金具４を回動範囲の所定位置に保持固定するＹ軸方向固定装置ＹＰを備えている。また、Ｘ軸方向角度可変機構ＸＫは、ＬＥＤ基板取付金具３がＹ軸方向可変金具４に対しＸ軸方向に回動可能なるように支持され、Ｙ軸方向可変金具４に対しＸ軸方向可変金具３を回動範囲の所定位置に保持固定するＸ軸方向固定装置ＸＰを備えている。以下、この具体的な構成について記載する。
【００３９】
図６に示すように、Ｙ軸方向可変金具４は、ＬＥＤ基板取付金具３を支持する支持穴４３１と照射角度を複数段可動するために設けられた可動スリット４３２と角度設定後に固定するための固定ねじ溝４３３とを有するＸ軸方向回転支持部４３と、支持穴４３１を有するＸ軸方向回転支持部４４により複数のＬＥＤ基板取付金具３を支持すると共にＸ軸方向に角度を可変できる機能を持たせている。また、Ｙ軸方向可変金具４は、複数のＬＥＤ基板取付金具３を一括してＹ軸方向に回動させてＹ軸方向の照射角をかえるための回転中心穴４１を中央部に形成し、更にＹ軸方向の照射角度を設定角度に固定するための固定用ねじ穴４２１を有する固定部４２を備えている。
【００４０】
具体的には、左右のＬＥＤ基板取付金具３の回転軸穴３２１とＹ軸方向可変金具４の支持穴４３１に回転軸３Ｊが嵌り合うことによって、Ｙ軸方向可変金具４に対して左右のＬＥＤ基板取付金具３が回転軸３Ｊを中心としてそれぞれＸ軸内で回動可能に支持される。これによって、ＬＥＤ基板取付金具３がＸ軸方向の角度を可変できるため、ＬＥＤ発光部２からのＸ軸方向の照射角度を変更できる構成である。そして、ＬＥＤ基板取付金具３をＸ軸内で回動させ複数段（図示は３段）の角度可変溝４３３の中から所要のものを選定して、Ｘ軸方向固定ねじ３３で固定することにより、Ｘ軸方向の照射方向が設定される。
【００４１】
図６に示すように、可変機構取付けベース金具６には、Ｙ軸方向可変金具４の回転中心穴４１と回転軸５を介してＹ軸方向可変金具４をＹ軸方向に回動可能に支持する取付部６３を中央部に有している。また、可変機構取付けベース金具６は、本体１１の取付けボス１１Ｂへ取付けねじ７１Ｎにて取り付ける取付部６１を備えた構成としている。
【００４２】
図６に示すように、Ｙ軸方向固定金具７には、可変機構取付けベース金具６の取付部６１と共に取付けねじ７１Ｎにて本体１１の取付けボス１１Ｂに取付けるための取付部７１と、角度可変用のスリット７２と、角度固定用溝７３が設けてあり、Ｙ軸方向可変金具４の照射角度を容易に可変するとともに固定部４２と固定ねじ４５によりＹ軸方向の照射角度を固定する機能を有している。可変機構取付けベース金具６とＹ軸方向固定金具７とを板金加工にて一体形成した構成でもよい。
【００４３】
本発明による照射方向可変機構ＬＫの照射方向の可変操作は、Ｘ軸方向については図４及び図６に示すように、Ｘ軸方向固定装置ＸＰの固定解除状態において、即ち、Ｘ軸方向固定ねじ３３を緩めた状態において、ＬＥＤ基板取付金具３をＸ軸内で回動させ複数段（図示は３段）の角度可変溝４３３の中から所要のものを選定して角度を設定し、Ｘ軸方向固定ねじ３３で固定する。このことから明らかなように、複数の角度可変溝４３３と、この角度可変溝４３３の中の選定した位置でＬＥＤ基板取付金具３を固定するＸ軸方向固定ねじ３３の構成が前記のＸ軸方向固定装置ＸＰを構成する。
【００４４】
図４に示すように、左右のＬＥＤ基板取付金具３が角度可変溝４３３の最上段で固定状態された状態がＰの位置であり、この時の左右のＬＥＤ発光部２の中央部の光軸、即ちＬＥＤ発光部２の発光中心軸ＣＨはＣＨ１である。ＬＥＤ照明器具１の光軸（発光軸）も同様である。このため、左右のＬＥＤ基板取付金具３の下面に取り付けた平板状のＬＥＤ基板２２相互の配光角度はＡ１である。
【００４５】
また、左右のＬＥＤ基板取付金具３が角度可変溝４３３の最下段で固定状態された状態がＱの位置であり、この時の左右のＬＥＤ発光部２の中央部の光軸、即ちＬＥＤ発光部２の発光中心軸ＣＨはＣＨ２であり、ＬＥＤ照明器具１の光軸も同様である。このため、左右のＬＥＤ基板取付金具３の下面に取り付けた平板状のＬＥＤ基板２２相互の配光角度はＡ２となり、配光領域が拡大する。
【００４６】
このため、左右のＬＥＤ基板取付金具３がＰ位置とＱ位置間の角度はａである。これによって、Ｘ軸方向の照射方向は、左右のＬＥＤ基板取付金具３のそれぞれによって角度ａの範囲で可変となるが、左右のＬＥＤ基板取付金具３の両方によって、角度ａの２倍の角度範囲で可変となり、左右のＬＥＤ発光部２相互の配光角度、即ちＬＥＤ基板２２相互の配光角度はＡ２となり、配光領域が拡大するものである。
【００４７】
また、Ｙ軸方向の照射方向の可変操作は、図３及び図６に示すように、Ｙ軸方向固定装置ＹＰの固定解除状態において、即ち、Ｙ軸方向固定ねじ４５を緩めた状態において、可変機構取付部ベース金具６に対してＹ軸方向可変金具４を回動し、Ｙ軸方向の複数段（図示は３段）の角度可変溝７３の中から所要のものを選定して角度を設定し、その状態でＹ軸方向固定ねじ４５で固定することで、Ｙ軸方向可変金具４のＹ軸方向回動位置が設定され、ＬＥＤ発光部２からのＹ軸方向への光照射方向が、設置場所に適した照射方向に光を有効に照射させる状態にすることができる。このことから明らかなように、複数の角度可変溝７３と、この角度可変溝７３の中の選定した位置でＹ軸方向可変金具４を固定するＹ軸方向固定ねじ４５の構成が、前記のＹ軸方向固定装置ＹＰを構成する。
【００４８】
このような操作は、図１及び図３に示すように、Ｙ軸方向固定ねじ４５が角度可変溝７３の中間段で固定状態された状態がＲの位置であり、角度可変溝７３の最上段で固定状態された状態がＲ位置に対する角度Ｂ２の位置となるＰの位置であり、角度可変溝７３の最下段で固定状態された状態がＲ位置に対する角度Ｂ１の位置となるＱの位置である。このような操作によって、Ｙ軸方向の照射方向が角度Ｂ１＋Ｂ２の範囲で可変となる。
【００４９】
上記のように、ＬＥＤ発光部２の中央部における光軸、即ちＬＥＤ発光部２の発光中心軸ＣＨ上において、ＬＥＤ発光部２からの照射方向がＸ軸方向とＹ軸方向とに可変となる構成である。このため、Ｘ軸方向角度の可変は、ＬＥＤ基板取付金具３が回転軸３Ｊを中心としてＸ軸が回動し、Ｙ軸方向角度の可変は、Ｙ軸方向可変金具４が回転軸５を中心としてＹ軸が回動することにより、ＬＥＤ発光部２からのＸ軸方向の照射角度とＹ軸方向の照射角度とを変更できる構成である。これによって、ＬＥＤ発光部２の発光中心軸ＣＨにおいて、ＬＥＤ発光部２からの光照射方向が、ＬＥＤ照明器具１の光軸に直角な方向（Ｘ軸と呼ぶ）と、ＬＥＤ照明器具１の光軸に平行な方向（Ｙ軸と呼ぶ）に可変可能となる。
【００５０】
このように、ＬＥＤ発光部２の中央部における光軸、即ちＬＥＤ発光部２の発光中心軸ＣＨ上において、ＬＥＤ発光部２からの照射方向がＸ軸方向とＹ軸方向とに可変となる方式とすれば、ＬＥＤ基板２２が湾曲したものや中央部で屈曲したものにおいても、左右のＬＥＤ発光部２からの光照射方向の可変基準を定め易く、ＬＥＤ照明器具１全体から見ても変更する光照射方向の設定がし易くなる。
【００５１】
図示の実施例では、照射方向可変機構の照射方向の可変は、Ｘ軸方向については３段であり、Ｙ軸方向についても３段であるが、更に細かく照射方向を変更させるためには、４段以上の段数構成とすればよいため、可変する角度については、目的とする要求配光性能から必要な角度範囲内で任意に設定構成する。
【００５２】
本発明による照射方向可変機構により得られる配光パターンの変化を上方向から見た平面図で示したものが図５である。交差点などの全方向の光の広がりを求める照明用途には配光をパターンＡ、照明器具の取付面より後方への光の照射を抑止し農作物などの生育に影響を与えないよう前方方向に有効に照射をさせるためＹ軸方向の照射角度を前方道路側に設定することで配光パターンＢとすることができる。また、街路や歩道などの道路軸に平行な方向への光の広がりの長手２方向配光が求められる場合はＸ軸方向の照射角の設定を変えることで配光パターンＣに変更することできるため、設置場所に応じ、また、設置後においても光害を抑制して被照射面を有効的に照射することが可能となる。
【００５３】
本発明の照射方向可変機構においては、Ｙ軸方向の照射角度をより効率的に制御できるようにＬＥＤ発光部２の表側に遮光ルーバーユニット８を配置し、ＬＥＤ発光部２と当該ユニット８とを一体的にＬＥＤ基板取付金具３に取付け可能な構成としている。図６には遮光ルーバーユニット８を手前側のＬＥＤ基板２２に対応する一つを示しているが、奥側に示すＬＥＤ基板２２に対応しても遮光ルーバーユニット８が配置されるため、左右一対のＬＥＤ基板取付金具３に対して、それぞれ遮光ルーバーユニット８が取り付けられる。
【００５４】
図８に示すように、遮光ルーバーユニット８は、各ＬＥＤ光源２１が臨む光透過部８１２と、Ｙ軸方向の光の照射方向を制御するよう光透過部８１２間に位置した複数の遮光ルーバー８２を備え、ＬＥＤ発光部２の表側において、ＬＥＤ基板取付金具３に取付けられる。遮光ルーバーユニット８は、ユニットの本体である遮光ルーバー支持金具８１と複数の遮光ルーバー８２を一括して適切な角度に変更・設定するためのスライド板８３と、スライド板８３を設定角度で保持固定するための固定金具８４から構成されている。実施例では固定金具８４は固定ねじ８４で構成する。光透過部８１２は遮光ルーバー支持金具８１に形成した角形の孔で構成されているが、この孔部分が透明な板で構成されるものでもよい。
【００５５】
図１０に示すように、遮光ルーバー支持金具８１には、両側面に設けた立ち上がり部に複数の遮光ルーバー係止部８１１と、各ＬＥＤ光源２１からの光を遮ることなく有効に照射するための複数の光透過部８１２と、ＬＥＤ基板取付金具３に固定するための取付穴８１３、及び遮光ルーバー８２を所定の角度に一括設定するスライド板８３を固定ねじ８４で固定するための支持金具８１４を設けている。光透過部８１２は、遮光ルーバー支持金具８１に形成した角孔の開口で構成されているが、この開口部分が透明な板で構成されるものでもよい。
【００５６】
図１１に示すように、遮光ルーバースライド板８３には、複数の遮光ルーバー８２に対応する位置に、可変する角度に応じて設定した略山形の溝８３１が複数設けられており、両端部には固定ねじ８４を緩めるだけで遮光ルーバー８２の角度を可変し固定ねじ８４で固定するためのスライド溝８３２を設けている。溝８３１は所定の深さＤに形成されており、溝８３１の底部は、遮光ルーバースライド板の厚さｔよりも若干大きい値αに形成した幅（ｔ＋α）に形成されている。
【００５７】
図１２（ａ）に示すように、遮光ルーバー８２には、遮光ルーバー支持金具８１の両側面の取付部８１１に勘合係止する一対の突起部８２１を設け、中央部には遮光ルーバースライド板８３を挿入するためのスリット８２２が設けられており、そのスリット８２２は、遮光ルーバースライド板の厚さｔよりも若干大きい値βに形成した幅（ｔ＋β）に形成されている。遮光ルーバースライド板８３と遮光ルーバー８２は、溝８３１の底部とスリット８２２の底部とが嵌合状態に組み立てられる。図１２（ｂ）に示すように、各ＬＥＤ光源２１からの光を反射するための遮光ルーバー８２の反射面は、鏡面仕上げなどで光を効率的に反射させて制御し、その裏面は反射を抑えて漏れ光を抑制するため黒色に仕上げた構成としている。
【００５８】
遮光ルーバーユニット８は、ＬＥＤ発光部２の表側においてＬＥＤ基板取付金具３に取付けられるようにするために、ＬＥＤ基板２２の表側に配置した各ＬＥＤ光源２１が各光透過部８１２に臨む状態でＬＥＤ基板２２の表側に遮光ルーバー支持金具８１を重ね合わせ、この状態で遮光ルーバー支持金具８１側から取付けねじ８ＮにてＬＥＤ基板取付金具３に取付ける。これによって、左右一対のＬＥＤ基板取付金具３に対して、それぞれ遮光ルーバーユニット８が取り付けられた状態となる。
【００５９】
固定ねじ８４を緩め遮光ルーバー８２の角度を可変した後、固定ねじ８４で固定することにより、遮光ルーバーユニット８の遮光ルーバー８２の設定角度をＹ軸方向前方に向けることができる。図９には、遮光ルーバーユニット８のＹ軸方向の角度可変状態を示しており、Ｙ軸で発光中心軸よりＣ１度後方に傾けた（ａ）の状態と、Ｙ軸で発光中心軸よりＣ２度前方に傾けた（ｂ）の状態を示している。これに適応するように、図１１に示すように、ＬＥＤ基板取付金具３の溝８３１は、その底部中心からＣ１度後方に傾けた位置とＣ２度前方に傾けた位置に向かって開いた開口で形成されている。このように、遮光ルーバー８２の鏡面仕上げの反射面によって、Ｙ軸前方へ光を有効に照射させて後方への光を遮光できるため、遮光ルーバー８２の角度を適切に設定することにより、照射方向（道路側）とは反対方向の漏れ光を遮光して農作物などの生育への悪影響をより効果的に抑制・防止することが可能となる。
【００６０】
このように、遮光ルーバーユニット８を備えた場合には、遮光ルーバーユニット８を備えない場合に比して、Ｙ軸方向の光の照射方向制御が更に細かく制御できる照射方向可変機構ＬＫとなるため、Ｙ軸方向角度可変機構ＹＫに更に付加されたＹ軸方向角度可変機構ＹＫ１を遮光ルーバーユニット８が構成することとなる。
【００６１】
本発明の他の実施形態として、照射方向可変機構ＬＫの構成を図７に示す。図１乃至図６に示すものと同様の機能部分には同一の符号を付している。
上記のＹ軸方向角度可変機構ＹＫは、本体１１に取り付けられた可変機構取付部ベース金具６に対して、Ｙ軸方向可変金具４がＹ軸方向回転軸５を中心として回動可能なる構成によって、Ｙ軸方向の照射角度を可変するものであるが、図７に示す構成では、これに替わって、上記のように遮光ルーバーユニット８によって構成されたＹ軸方向角度可変機構ＹＫ１によって、Ｙ軸方向の照射角度を可変できるように構成したものである。
【００６２】
この本発明の他の実施形態の具体的構成を以下に記載する。上記のＹ軸方向の光を制御する可変機構取付けベース金具６、Ｙ軸方向固定金具７及びＹ軸方向可変金具４によるＹ軸方向の角度可変機構ＹＫに替わって、図７に示すようにＸ軸方向可変金具９を設け、Ｘ軸方向可変金具９には、複数のＬＥＤ基板取付金具３をそれぞれ独自にＸ軸方向に回動可能に支持して照射角度を可変した設定角度位置に保持固定するＸ軸方向回転支持部４３を備え、Ｙ軸方向の光を制御する遮光ルーバーユニット８をＬＥＤ発光部２の上側（ＬＥＤ発光部２を覆う状態）に取付けたＬＥＤ基板取付金具３をＸ軸方向可変金具９に取付けて、Ｘ軸方向角度可変機構ＸＫと遮光ルーバーユニット８によるＹ軸方向角度可変機構ＹＫ１によって、Ｘ軸方向及びＹ軸方向の照射角度を可変できるように構成している。
【００６３】
具体的には図７に示すように、図６に示すＹ軸方向回転軸５と可変機構取付けベース金具６とＹ軸方向固定金具７とＹ軸方向固定ねじ４５およびＹ軸方向可変金具４の回転中心４１を用いることなく、両端部に本体１１側に延伸した取付部９１、９２を備えたＸ軸方向可変金具９と、複数のＬＥＤ基板取付金具３と、ＬＥＤ発光部２と、遮光ルーバーユニット８とにより構成したものである。
【００６４】
この構成によって、左右のＬＥＤ基板取付金具３が回転軸３Ｊを中心としてそれぞれＸ軸内で回動可能に支持され、ＬＥＤ基板取付金具３を回転軸３Ｊを中心としてＸ軸内で回動させ、複数段（図示は３段）の角度可変溝４３３の中から所要のものを選定して、Ｘ軸方向固定ねじ３３で固定することにより、Ｘ軸方向の照射方向（照射角）が設定される。
【００６５】
また、Ｙ軸方向の照射角は、遮光ルーバー８２の角度を適切に設定することで設置場所に合わせた適切な照射が得られるように照射方向を可変可能にしたことを特徴とする照射方向可変形ＬＥＤ照明器具である。具体的には、固定ねじ８４を緩め遮光ルーバー８２の角度を可変した後、固定ねじ８４で固定することにより、遮光ルーバーユニット８の遮光ルーバー８２の設定角度をＹ軸方向前方に向けることができ、Ｙ軸前方へ光を有効に照射させて後方への光を遮光できるため、遮光ルーバーの角度を適切に設定することにより、照射方向（道路側）とは反対方向の漏れ光を遮光して農作物などの生育への悪影響をより効果的に抑制・防止することが可能となる。
【００６６】
また、本発明の実施形態の図６及び図７に示すＬＥＤ発光部２１、ＬＥＤ基板取付金具３は複数に限定するものではなく、上記の照射方向可変機構ＬＫの各構成部材をアレンジすることで１ユニットにてＸ軸、Ｙ軸各方向の角度を変えられる構成とすることができ、例えば、複数個のＬＥＤ発光源２１を搭載した１枚のＬＥＤ基板２２として本発明の照射方向可変機構ＬＫを応用して構成してもよい。
【００６７】
上記実施形態から明らかなように、本発明の照射方向可変形ＬＥＤ照明器具１は、短冊状や矩形状のように所定長さに延びた平板状の回路基板２２の下面（道路側面）に複数のＬＥＤ光源部２１を配置して発光部２を１枚または複数枚備え、屋外のポールや電柱等の支持部材ＰＬに取付けて街路や道路を照明する街路灯として適用される照明器具１を構成した場合、ＬＥＤ光源部からの熱を効果的に放熱する共に、発光部２の照射方向をＸ軸方向とＹ軸方向に調整可能とすることにより、ＬＥＤ光源部２の発光効率を低下させることなく、照明器具１を設置する場所に応じて適切な照射方向を確保し、光を有効に利用することができるものとなる。
【００６８】
上記の実施形態のいずれにおいても、基板取付部３１の上端から上方に向けて照明器具１の内側へ延伸して各ＬＥＤ光源部２１の熱を放散する放熱部３４を形成していることによって、ＬＥＤ光源部２１からの熱を効果的に放熱することができる。
【００６９】
次に、照射方向可変形ＬＥＤ照明器具１の他の形態として、Ｘ軸方向及びＹ軸方向の照射角のみならず広範囲に任意の範囲で照射角を可変可能とする構成の照射方向可変形ＬＥＤ照明器具１０を提供することとし、その一つであるボールジョイント式照射方向可変機構を備えたＬＥＤ防犯灯１０について以下に記載する。
【００７０】
この場合の発明が解決しようとする課題として、上記のように、街路や歩道用のＬＥＤ照明器具（ＬＥＤ防犯灯と称する）においては、不必要な方向への光の照射による光害が発生するなどの課題があった。また、ＬＥＤ発光部は発光効率の低下を抑制したり、ランプ寿命を短くしないために適切な放熱処理が必要であるが、照射方向を可変する場合には放熱処理が課題としてあった。そこで、放熱性を損なうことなく、設置場所に応じて必要な方向に光の照射方向を変えることができる照射方向可変形のＬＥＤ照明器具（ＬＥＤ防犯灯という）が望まれる。
【００７１】
このため前述した課題を解決するために、ＬＥＤからの熱を効果的に放熱するとともに、設置場所に応じてＬＥＤ光源からの光の照射方向を適切な方向に変えることができる照射方向可変形の街路や歩道用のＬＥＤ照明器具（ＬＥＤ防犯灯という）を提供することとする。
【００７２】
課題を解決するための手段として、その一つの発明に係る街路や歩道用のＬＥＤ照明器具（ＬＥＤ防犯灯）は、ポールや電柱などの支持部材に支持されるアームを有する本体と、複数のＬＥＤを実装したＬＥＤ基板を備え本体の下側に固定されたＬＥＤ発光部と、本体の下側に固定されＬＥＤを点灯させる電源ブロックと、本体の下側に設けられLED発光部からの光を有効に照射する透光カバーとを備え、ＬＥＤ発光部には、ＬＥＤ発光時の熱を放散させる放熱部と、本体に対してボールジョイント結合されＬＥＤ発光部からの光の照射方向を任意に変えられるボールジョイント式照射方向可変機構を備えたものである。
【００７３】
またもう一つの発明に係る街路や歩道用のＬＥＤ照明器具（ＬＥＤ防犯灯）は、ＬＥＤ発光部には、複数のＬＥＤを実装したＬＥＤ基板と、ＬＥＤ基板を支持するＬＥＤ基板支持部と、ＬＥＤからの熱を放散させる放熱部と、放熱部に固定されたジョイント金具と、ジョイント金具に固定されるボールジョイントと、ボールジョイントとジョイント金具間に挿入した取付金具と、本体側に取付けられる固定金具と、ボールジョイントを固定金具と取付金具で挟み込んで固定する固定ねじと、からなる照射方向可変機構部を有している。
【００７４】
更にもう一つの発明に係る街路や歩道用のＬＥＤ照明器具（ＬＥＤ防犯灯）は、ＬＥＤ基板には目的に応じＬＥＤ発光部の数や形状を適切に配置し光をより有効的に照射方向に照射できるよう複数個のＬＥＤ発光部を設け、各ＬＥＤ発光部には１対のボールジョイント式照射方向可変機構部を備えることにより、１台の器具で光を必要とする複数の方向への照射が可能となる。また、本体はアームとの組合せに限るものではなく、ポールや電柱などの支持部材に取付けるための取付機構を本体に一体的に設けた構成としてもよい。
【００７５】
上記の構成とした本発明の街路や歩道用のＬＥＤ照明器具（ＬＥＤ防犯灯）によれば、以下の効果を奏することができる。
即ち、ボールジョイントを支点としてＬＥＤ発光部を回動させ前後左右どの方向にも任意に照射方向が変えられるため、器具を設置後でも必要に応じて照射方向を容易に変更することができ設置場所に適した照明効果が得られ、ＬＥＤからの光を有効に利用することができる。
【００７６】
また、放熱部を設けていることによりＬＥＤ光源の過度の温度上昇を抑制でき発光効率の低下とＬＥＤランプ寿命の低下を防止できる効果が得られる。
【００７７】
更に、ボールジョイント結合によって照射方向を変えることができることから、遮光板などの追加部品を装着することなく不要な方向への光の照射を抑制でき光害を防止する効果も得ることができ、より経済的な照明器具を提供できる。
【００７８】
発明を実施するための形態として、本発明の照明器具は、ポールや電柱などに支持されるアームと、アームを有する本体部と、本体の下側に固定されたＬＥＤ発光部及び電源ブロックと、本体の下側に設けられ、ＬＥＤ発光部からの光を透過する透光カバーと、を備えている。ＬＥＤ発光部にはＬＥＤ光源からの光りの照射方向を任意に変えられる照射方向可変機構部と、ＬＥＤ発光時の熱を放散するための放熱部を有している。
【００７９】
以下、本発明の実施形態に係わる街路や歩道用のＬＥＤ照明器具（ＬＥＤ防犯灯）１０について、図１３乃至図１７を参照して説明する。照射方向可変形ＬＥＤ照明器具１０は、Ｘ軸方向及びＹ軸方向の照射角のみならず３６０度の範囲で照射角を可変可能とするものであり、その構成を図１３乃至図１７に基づき説明する。図１３乃至図１７に示す照射方向可変形ＬＥＤ照明器具１０は、街路や歩道用のＬＥＤ照明器具（ＬＥＤ防犯灯と称する）として適するために、前方へ長く延びる形態をなしている。
【００８０】
図１３は本発明の他の実施形態に係るボールジョイント式照射方向可変機構を備えたＬＥＤ防犯灯の要部を示す縦断側面図でＬＥＤ基板を分解図で示す。図１４は図１３に係るＬＥＤ防犯灯の照射方向可変機構部分の縦断側面図であり、（ａ）は正面方向断面図、（ｂ）は側面方向の断面図である。図１５は本発明による実施形態の一例による前後方向、側面方向に照射方向を変えた状態を示す部分分解図の例、図１６は本発明の実施形態によるＬＥＤ防犯灯の外観側面図と下面図の一例である。
【００８１】
本発明によるＬＥＤ防犯灯１０は、ポールや電柱などの支持部材に取付けられるアーム１２０によって支持される本体１１０と、本体１１０の下方開口を塞ぎ、ＬＥＤ発光部２０からの光を透過する透光カバー１３０と、本体１１０の下側に固定されＬＥＤ光源２１０を点灯させるための電源ブロック１４０と、本体１１０の下側に固定され電源ブロック１４０により点灯されるＬＥＤ発光部２０と、ＬＥＤ発光部２０にはＬＥＤ光源２１０からの光の照射方向を任意方向に変えられるボールジョイント式照射方向可変機構ＢＬＫを備えている。
【００８２】
ボールジョイント式照射方向可変機構ＢＬＫは、ボールジョイント２６０によってＬＥＤ発光部２０の向きを必要とする任意の方向に照射方向を変更するために機構であり、複数のＬＥＤ光源２１０をＬＥＤ基板２２０に配置したＬＥＤ発光部２０と、ＬＥＤ基板２２０を支持するＬＥＤ基板支持部２３０と、ＬＥＤ基板２２０からの熱を放熱するためにＬＥＤ基板支持部２３０から上方へ延出形成した放熱部２４０と、放熱部２４０に固定されボールジョイント２６０を固定するジョイント金具２５０と、本体１１０の下側に固定される固定金具２８０と、ボールジョイント２６０を固定金具２８０に回動可能に支持する取付金具２７０と、任意の照射方向に変更した後ＬＥＤ発光部２０が動かないように固定する固定ねじ２９０と、を備えている。放熱部２４０は、ＬＥＤ基板２２０からの熱を放熱するようにするために、ＬＥＤ基板支持部２３０の裏側（上側）に熱伝導材で構成した複数の連結部３００で連結されて、ＬＥＤ基板支持部２３０と放熱部２４０が熱伝導的に一体化されている。
【００８３】
上記のように、固定金具２８０と取付金具２７０がボールジョイント２６０を挟持した状態を保持しており、照射方向の変更は、固定ねじ２９０を少し緩め、図１５（ａ）（ｂ）に実線の状態から二点鎖線で示すように、ボールジョイント２６０を中心にＬＥＤ基板支持部２３０と放熱部２４０を一体として回動させて、ＬＥＤ発光部２０の向きを必要とする任意の方向に照射方向を変更した後、固定ねじ２９０を確実に締め付けることで容易にＬＥＤ発光部２０の照射方向を固定することができる。
【００８４】
本発明によるボールジョイント式照射方向可変機構ＢＬＫは、器具１台に対し１個に限定されるものではなく、要求される明るさに応じて、また、よりきめ細かな照射方向の変更が可能となるように、本体１１０の中に復数個のＬＥＤ発光部２０を組み込んだ構成とすることができる。また、本体１１０の構成は、本発明の例示したものに限定されるものではなく、支持部材への取付け機構１２０を本体１１０に一体的に構成した器具本体としてもよい。更に、ＬＥＤ発光部２０から発する熱の放熱を促進する本体１１０の構成とすることができる。
【００８５】
その一例を図１７に示す。図１７は本体１１０の中に２個のＬＥＤ発光部２０を組み込み、それぞれのＬＥＤ発光部２０がボールジョイント式照射方向可変機構ＢＬＫによって照射方向を変更可能としている。具体的には、本体１１０の下側に固定される固定金具２８０が中間部に下方へ山形またはＶ字形に屈曲した取付け部３１０を形成しており、この取付け部３１０の左右辺にそれぞれボールジョイント式照射方向可変機構ＢＬＫが取り付けられている。
【００８６】
図１７（ａ）は縦断側面図、（ｂ）は下面図、（ｃ）は照射方向可変機構ＢＬＫを２個備えたときの照射方向可変機構を部分断面で示す正面図である。ボールジョイント式照射方向可変機構ＢＬＫは、図１３乃至図１６に示すものと同様であり、図１３乃至図１６に示すものと同様の機能部分には同一の符号を付している。放熱部２４０に固定されたジョイント金具２５０に取り付けたボールジョイント２６０が、固定金具２８０と取付金具２７０とによって回動可能に支持されており、図１３乃至図１６に示すものと同様に固定ねじ２９０（図示せず）によって、固定金具２８０と取付金具２７０がボールジョイント２６０を挟持した状態を保持している。
【００８７】
この状態で、照射方向の変更は、上記同様に、固定ねじ２９０を少し緩め、左右それぞれにおいて、ボールジョイント２６０を中心にＬＥＤ基板支持部２３０と放熱部２４０を一体として回動させて、左右それぞれのＬＥＤ発光部２０の向きを必要とする任意の方向に照射方向を変更した後、固定ねじ２９０を確実に締め付けることで、容易に左右それぞれのＬＥＤ発光部２０の照射方向を固定することができる。
【００８８】
このように、左右配置の２個のＬＥＤ発光部２０は、それぞれがボールジョイント式照射方向可変機構ＢＬＫによって照射方向を変更できるため、１個のＬＥＤ発光部２０の場合に比して、広範囲での照射に適するＬＥＤ照明器具（ＬＥＤ防犯灯）１０を提供できることとなる。なお、複数の放熱フィン１１０Ｂを有する放熱部１１０Ａが本体１１０に一体的に形成されており、左右のＬＥＤ発光部２０から発する熱の放熱を促進する。
【符号の説明】
【００８９】
１      ＬＥＤ照明器具
１１    本体
１２    本体取付部
１３    透光カバー
１４    電源ブロック
２      ＬＥＤ発光部
２１    ＬＥＤ光源
２２    ＬＥＤ基板
３      ＬＥＤ基板取付金具
３１    ＬＥＤ基板取付部
３２    Ｘ軸方向回転支持部a
３３    Ｘ軸方向固定ねじ
３４    放熱部
４      Ｙ軸方向可変金具
４１    Ｙ軸回転中心
４２    Ｙ軸方向固定部
４３    Ｘ軸方向回転支持部ｂ
４４    Ｘ軸方向回転支持部ｃ
４５    Ｙ軸方向固定ねじ
５      Ｙ軸方向回転軸
６      可変機構取付けベース金具
７      Ｙ軸方向固定金具
８      遮光ルーバーユニット
８１    遮光ルーバー支持金具
８２    遮光ルーバースライド板
８３    遮光ルーバー
９      Ｘ軸方向可変金具
９１    本体取付部
ＬＫ    照射方向可変機構
ＸＫ    Ｘ軸方向角度可変機構
ＹＫ    Ｙ軸方向角度可変機構
１０      ＬＥＤ照明器具（ＬＥＤ防犯灯）
１１０    本体
１２０    アーム
１３０    透光カバー
１４０    電源ブロック
２０      ＬＥＤ発光部
２１０    ＬＥＤ光源
２２０    ＬＥＤ基板
２３０    ＬＥＤ基板支持部
２４０    放熱部
２５０    ジョイント金具
２６０    ボールジョイント
２７０    取付金具
２８０    固定金具
２９０    固定ねじ
ＢＬＫ    ボールジョイント式照射方向可変機構
【図１】
2015002152.tif 000003
【図２】
2015002152.tif 000004
【図３】
2015002152.tif 000005
【図４】
2015002152.tif 000006
【図５】
2015002152.tif 000007
【図６】
2015002152.tif 000008
【図７】
2015002152.tif 000009
【図８】
2015002152.tif 000010
【図９】
2015002152.tif 000011
【図１０】
2015002152.tif 000012
【図１１】
2015002152.tif 000013
【図１２】
2015002152.tif 000014
【図１３】
2015002152.tif 000015
【図１４】
2015002152.tif 000016
【図１５】
2015002152.tif 000017
【図１６】
2015002152.tif 000018
【図１７】
2015002152.tif 000019